(57)【特許請求の範囲】
【請求項１】
外壁の内側で外壁に沿って設けられた通気層と、前記外壁の下部に位置し前記通気層と連通する屋外からの空気取入口と、前記通気層の上方側に位置し居住空間に連通する給気口と、前記居住空間の空気を強制的に引き入れて屋外へ排出するファンと、を備えた建物の換気構造であって、
前記居住空間は、前記ファンが配設された第１の室空間と、前記通気層と連通する給気口が開口する第２の室空間と、前記第１の室空間と前記第２の室空間との間に介在する第３の室空間と、を含む複数の室空間に間仕切りされ、それぞれの間仕切りされた空間下部にはスリットが形成されて空気流通路が形成され、
前記通気層から取り入れた外気を前記第２の室空間から前記第３の室空間を通って前記第１の室空間へ前記ファンの作動により強制的に移動させ、屋外に排出可能に構成されたことを特徴とする建物の換気構造。
【請求項２】
請求項１に記載の建物の換気構造における換気システムであって、
前記ファンが作動して、前記吸入口から前記居住空間の空気を強制的に吸入するとともに屋外に排気し、前記ファンによる前記居住空間の空気の吸入に起因して、前記通気層の下部において前記空気取入口から前記外壁の内側に強制的に外気が取り入れられ、該外気は前記通気層を通り、該通気層の上方側に位置し前記居住空間に連通する給気口から前記居住空間内に取り入れられて建物内における換気が行われることを特徴とする建物の換気構造における換気システム。
【発明の詳細な説明】
【０００１】
【発明の属する技術分野】
本発明は、建物の換気構造及び該建物の換気構造における換気システムに係り、特に寒冷地等、屋外と屋内の温度差が大きい地域の建物にとって好適な建物の換気構造及び該建物の換気構造における換気システムに関する。
【０００２】
【従来の技術】
従来、建物の通気或いは換気を行うために、建物の壁部に屋外に連通する複数の通気口を設け、この通気口から屋外の空気を取り入れたり、或いは居室内の空気を排気することにより、建物内の通風換気を行っていた。
【０００３】
しかし、上記換気方法によれば、空気の流通は屋外と居室内との温度差や、風速或いは風向き等の屋外の状況に大きく影響されるため、安定して一定の換気量を確保することが困難であるという問題があった。また居室のドアを閉めてしまうと、建物内における空気の流れが滞留してしまうとともに、各居室間を空気が流通しなくなり、各居室における換気が均等に行われないといった問題がある。
【０００４】
このように建物内において換気がバランス良く行われないと、空気が滞留し、その結果高湿度になり、黴等が発生する原因となっていた。また空気の滞留により結露が発生し、この結露により建物の一部が腐朽したり、壁や天井等にしみや汚れが発生するという問題があった。
【０００５】
さらに冬場或いは寒冷地においては、通気口から屋外の冷たい空気が直接居室内に流入してくるため、暖房効率を低下させたり、また通気口が直接外部と連通しているために、外部の騒音が室内に侵入してしまうという不都合があった。
【０００６】
上記問題点を解決するために、特開平８−３３８０７８号公報では、図６に示すように、壁体内に通気層１０１を形成し、この通気層内に室内１０７に連通する室内側ダクト１０２及び外気に連通する室外側ダクト１０３を備え、小屋裏排気口１０４を介して小屋裏１０５に連通する鉛直ダクト１０６を配設し、換気を行う構成が開示されている。
【０００７】
上記従来技術は、室内側ダクト１０２が屋外に直接連通しておらず、通気層１０１に連通しているため、室内との温度差の大きい外気が直接室内への流入するのを防止すること、及び遮音性を向上させることは可能であるが、建物内において空気をスムーズに流通させる構成や、屋外の状況に影響されず安定した換気を行う構成を有しておらず、建物全体において常時バランスの良い換気を行うことはできない。
【０００８】
本発明は、上記の問題点に着目してなされたものであり、その目的は、建物内において常時バランスの良い換気を行うことが可能であり、また居住性及び建物の耐久性を向上させ、且つ遮音性の良い建物の換気構造及び換気システムを提供することにある。
【０００９】
【課題を解決するための手段】
請求項１に係る発明によれば、建物の室内換気構造において、外壁の内側で外壁に沿って設けられた通気層と、前記外壁の下部に位置し前記通気層と連通する屋外からの空気取入口と、前記通気層の上方側に位置し居住空間に連通する給気口と、前記居住空間の空気を強制的に引き入れて屋外へ排出するファンと、を備えた建物の換気構造であって、前記居住空間は、前記ファンが配設された第１の室空間と、前記通気層と連通する給気口が開口する第２の室空間と、前記第１の室空間と前記第２の室空間との間に介在する第３の室空間と、を含む複数の室空間に間仕切りされ、それぞれの間仕切りされた空間下部にはスリットが形成されて空気流通路が形成され、前記通気層から取り入れた外気を前記第２の室空間から前記第３の室空間を通って前記第１の室空間へ前記ファンの作動により強制的に移動させ、屋外に排出可能に構成されたことを特徴とする。
【００１１】
換気構造は以上のように構成され、この換気構造を有する建築物における換気は次の換気システムによって行われる。即ち請求項１に記載の建物の換気構造における換気システムであって、前記ファンが作動して、前記吸入口から前記居住空間の空気を強制的に吸入するとともに屋外に排気し、前記ファンによる前記居住空間の空気の吸入に起因して、前記通気層の下部において前記空気取入口から前記外壁の内側に強制的に外気が取り入れられ、該外気は前記通気層を通り、該通気層の上方側に位置し前記居住空間に連通する給気口から前記居住空間内に取り入れられて建物内における換気が行われる。
【００１３】
以上のように、本発明の換気構造及び換気システムによれば、ファンを使用することにより空気に流れをおこしているので、屋外と居室内の温度差や、風速や風向き等の外部の状況に左右されずに、一日中安定して換気をすることが可能となる。そして居住空間への外気の取り入れや、居住空間における空気の流通、及び空気の排出がバランス良く行われるように、空気の流通路が確保された構造を有しているため、居住空間を空気がスムーズに流れて空気が十分に循環し、空気の滞留がなくなり、空気の滞留によって発生する黴や結露を防ぐことができ、居住性及び建物の耐久性を向上させることが可能となる。
【００１４】
また本発明においては、空気の流れを起こすファンとして、レンジフードを用いることが可能であり、特別な構成を用いることなく簡単且つ安価に実施することができる。
【００１５】
また、給気口から取り入れられる外気は、通気層を経由して居室内に流入するため、例えば冬場において外気温と室温とに大きく温度差があっても、外気が通気層を経由することにより暖められて、居室内に取り入れられるときには温度差が小さくなっており、暖房効率を損なうことなく換気を行うことができる。さらに給気口が直接屋外と連通していないために、高い遮音性を保つことが可能となる。
【００１６】
【発明の実施の形態】
本発明の室内換気構造は、外壁２ａの内側において、外壁２ａに沿って設けられた通気層２ｂが設けられている。また外壁２ａの下部には、通気層２ｂと連通する屋外からの空気取入口３が形成され、通気層２ｂの上方側には居住空間５ａに連通する給気口４が形成されている。
【００１７】
居住空間５ａには、居住空間５ａの空気を強制的に引き入れて屋外に排出するファン８が配設されている。
【００１８】
さらに居住空間５ａは複数に間仕切りされ、それぞれの間仕切りされた空間下部にはスリット１１ａが形成されており、このスリット１１ａにより空気流通路が形成されている。
【００１９】
上記換気構造における換気システムは、次の通りである。即ち、居住空間５ａの空気を強制的に引き入れて屋外に排出するファン８が作動して居住空間５ａの空気が吸入される。
【００２０】
そして上記のように居住空間５ａにおいて空気の流通がおこることにより、通気層２ｂの下部に位置する空気取入口３から外気が取り入れられ、この外気は通気層２ｂを通り、通気層２ｂの上方側に位置する給気口４から居住空間５ａ内に取り入れられる。このとき居住空間５ａは複数に間仕切りされ、それぞれの間仕切りされた空間下部にはスリット１１ａが形成されており、このスリット１１ａを空気が流通する。このようにして空気が循環し、換気が行われる。
【００２１】
【実施例】
以下、本発明の一実施例を図面に基づいて説明する。なお、以下に説明する部材，配置等は本発明を限定するものでなく、本発明の趣旨の範囲内で種々改変することができるものである。
【００２２】
図１乃至図５は本発明に係る実施例を示すものであり、図１は本発明の換気構造を有する建物の断面図、図２は本発明の換気構造を有する建物の平面図、図３は外壁の拡大断面図、図４は給気口の拡大断面図、図５は給気口の拡大平面図である。
【００２３】
本発明における建物１は、洋室、ＬＤＫ、洗面室等からなる居住空間５ａとを有し、この居住空間５は、壁部２によって屋外と隔てられている。
【００２４】
本発明は、上記建物１における換気構造に関するものであり、換気構造は図１で示すように、外壁２ａの内側で外壁２ａに沿って設けられた通気層２ｂと、外壁２ａの下部に通気層２ｂと連通する屋外からの空気取入口３と、通気層２ｂの上方側に位置し居住空間５ａに連通する給気口４と、居住空間５ａに配設された居住空間５ａの空気を強制的に引き入れて屋外に排出するファン８と、から構成されている。
【００２５】
壁部２は図３で示すように、屋外に面した外壁２ａと、この外壁２ａの内側において外壁２ａに沿って一定間隔で形成された通気層２ｂと、通気層２ｂの内側に位置する断熱層２ｃとから構成されている。断熱層２ｃは、グラスウールからなる断熱材２ｆと、この断熱材の外壁２ａ側に形成された防風層２ｄと、居室側に張設された内装材２ｅとから構成されている。防風層２ｄは、断熱層２ｃへの冷気流や雨水等の浸入を防ぐものであり、透湿性の高いシート材や、或いは面剛性の高いシージングボードや合板等を用いる。
【００２６】
また通気層２ｂは、図１に示すように下部に空気取入口３が形成されており、屋外と連通している。空気取入口３からは、後述するように建物内における空気の流通により、外気が流入するように構成されている。
【００２７】
さらに通気層２ｂの上方には、給気口４が設けられている。給気口４は、図４で示すように、壁部の断熱層に円筒状の孔４ｃを開けて形成され、円筒状の孔４ｃには樹脂からなるカバー４ａがビス４ｆによって４箇所を固定されて取り付けられており、風量調整機構４ｂが設けられている。風量調整機構４ｂには中央につまみ４ｄが設けられており、このつまみ４ｄを居住空間５ａ側に引くことにより、風量調整機構４ｂと、孔４ｃとの間の間隙４ｇを広げることができる。またつまみ４ｄを外壁２ａ側に押すことにより、風量調整機構４ｂと孔４ｃとの間の間隙４ｇを狭めることができる。このように風量調整機構４ｂと孔４ｃとの間の間隙４ｇを広げたり狭めたりすることにより、居住空間５ａ内に入ってくる外気の量を調整することができる。
【００２８】
なお、風量調整機構４ｂは上記構成に限らず、孔４ｃに蓋状部材を取り付け、この蓋状部材を開閉することにより風量を調整するような構成等、他の構成を採用することができる。
【００２９】
また上記孔４ｃにはフィルター４ｅが取り付けられ、このフィルター４ｅは外気に含まれている塵や埃を取り除き、清浄な空気を居住空間５内に取り入れられるように構成されている。なお、図２に示すように、本例では給気口４を居住空間５内の３カ所に設ける構成としているが、これに限らず、建物１の構造や居室の配置等により、給気口４の配設箇所を調整する。
【００３０】
居住空間５には、ファン８が配設されている。ファン８は居住空間５の空気を強制的に引き入れて屋外へ排出するための装置であり、例えばレンジフードから構成される。
【００３１】
さらに居住空間５は間仕切り１１によって複数の居室に仕切られている。この間仕切り１１において、下方にスリット１１ａが形成される。このスリット１１ａは空気流通路として給気口４から取り入れられた外気が各居室に行き渡るようにるためのものであり、例えば間仕切り１１のドアに形成されている。
【００３２】
なお、本例ではスリット１１ａはドアの下方において、ドアが床面１２と所定距離離間するように形成されているが、その他の構成として、ドアと床面１２と離間させずに、ドア下方に換気窓を設け、この換気窓を空気が流通するような構成としても良い。或いは換気窓を居住空間５を間仕切る壁等に形成しても良い。そして例えば換気窓にスライド可能なシャッターを取り付け、換気窓の大きさを変えて風量を調整する機構を取り付けて、換気窓を流通する空気の量を調整する構成としても良い。
【００３３】
次に本発明の換気構造を備えた建物１における換気システムについて説明する。建物１内における空気の流れは、図１及び図２の矢印で示すように、給気口４から取り入れられた外気が、居室間を流通し、ファンに吸い込まれてから屋外に排出されるように構成されている。
【００３４】
即ち本発明の換気構造を有する建築物における換気システムは、次の通りである。まず、居住空間５の空気を強制的に引き入れて屋外へ排出するファン８が作動する。このように居住空間５の空気が吸い込まれると居住空間５において空気の流れが起こる。
【００３５】
一方外壁２ａの下部においては、外壁に沿って設けられた通気層２ｂと連通する空気取入口３から、居住空間５の空気の流れによって、屋外から外気が流入する。空気取入口３から流入した外気は、通気層２ｂを通過して、給気口４から居住空間５へ取り入れられる。このとき外気は通気層２ｂを通過することにより、外気温と室温との温度差が小さくなるように構成されている。
【００３６】
居住空間５は複数に間仕切りされており、それぞれの間仕切りされた空間下部にはスリット１１ａが形成されている。そしてこのスリット１１ａを空気流通路として空気が流通する。このようにして給気口４を有する居室から、他の居室へ空気が流れていくように構成されている。そして居住空間５の空気は、ファン８の作動によって屋外へ排出される。このようにして建物１内において空気が循環し、換気が行われる。
【００３７】
【発明の効果】
以上のように、本発明の換気構造及び換気システムによれば、ファンを使用することにより空気に流れをおこしているので、屋外と居室内の温度差や、風速や風向き等の外部の状況に左右されずに、一日中安定して換気をすることが可能となる。そして居住空間への外気の取り入れや、居住空間における空気の流通、及び空気の排出がバランス良く行われるように、空気の流通路が確保された構造を有しているため、居住空間を空気がスムーズに流れて空気が十分に循環し、空気が滞留することなく、黴等の発生を防ぐことができる。また空気の滞留による結露の発生や、この結露による建物の腐朽や、壁や天井等へのしみや汚れの発生を防ぐことができる。
【００３８】
そして空気の流れを起こすファンとして、レンジフードを用いることが可能であり、特別な構成を用いることなく簡単且つ安価に実施することができる。
【００３９】
さらに外気が通気層を通ってから室内に流入するので、室温と外気との温度差を減少させ、冬場における暖房効率を低下させることがなく、また温度差による結露を防止することができる。また、給気口が直接屋外に面していないため、屋外の騒音が直接居住空間に入ることなく、遮音性に優れた構成とすることができる。
【００４０】
また間仕切りされた空間下部にスリットが設けられていることにより、居住空間の空気流通が確保されるために、各居室のドアを半開きにしたりする必要がないので、プライバシーの確保ができる利点もある。
【図面の簡単な説明】
【図１】本発明の実施例に係る建物の換気構造を有する建物の断面図である。
【図２】本発明の実施例に係る建物の換気構造を有する建物の平面図である。
【図３】本発明の実施例に係る建物の換気構造における外壁の拡大断面図である。
【図４】本発明の実施例に係る給気口の拡大断面図である。
【図５】本発明の実施例に係る給気口の拡大平面図である。
【図６】従来例を示す説明図である。
【符号の説明】
１  建物
２  壁部
２ａ  外壁
２ｂ  通気層
２ｃ  断熱層
２ｄ  防風層
２ｅ  内装材
２ｆ  断熱材
３  空気取入口
４  給気口
４ａ  カバー
４ｂ  風量調整機構
４ｃ  孔
４ｄ  つまみ
４ｅ  フィルター
４ｆ  ビス
４ｇ  間隙
５  居住空間
８  ファン
９  排気口
１０  天井
１１  間仕切り
１１ａ  スリット
１２  床面
【図１】
0003897877.tif 000002
【図２】
0003897877.tif 000003
【図３】
0003897877.tif 000004
【図４】
0003897877.tif 000005
【図５】
0003897877.tif 000006
【図６】
0003897877.tif 000007